(57)【要約】【課題】慶祝、お見舞、激励等の目的で制作される折鶴を簡便かつ美麗に収納する折鶴収納体を提供すると共に、制作工程がシンプルで大量生産が可能であり、よって生産コストを安価にし、収納体全体が軽量な折鶴収納体の提供と、これを用いたアルバムＡの提供である。【解決手段】百羽鶴収納体ＣＳは、１シート内に２０羽収納する第１収納体１０〜第５収納体５０と各収納体の上面部１０ａに固定される蓋体１１とからなり、アルバムＡは、表紙体１を構成する背表紙１ａ、オモテ表紙１ｂ及びウラ表紙１ｃと、見開き２、メッセージシート３、写真貼付シート４、千羽鶴収納体ＣＳ及び固定具又は綴じ具５とから構成されている。【選択図】図１
2012056300.tif 000002
【特許請求の範囲】
【請求項１】
慶祝、お見舞、激励等を目的として制作される首部、尾羽及び両翼を折り曲げない形状に折り畳まれた複数の折鶴を収納するための百羽鶴収納体であって、
前記百羽鶴収納体は、１シート内に２０羽の折鶴を収納可能な第１収納体、第２収納体、第３収納体、第４収納体及び第５収納体と、
前記各収納体の上面部に固定される蓋体と、
からなり、
前記各収納体の下面部には、前記折鶴を収納するための２０個の浅底の折鶴収納部が凹設されている、
ことを特徴とする百羽鶴収納体。
【請求項２】
前記各収納体の折鶴収納部は、上面部を開口した同寸、同形の横４個、縦５個の計２０個が順序良く整然と形成されている、
ことを特徴とする請求項１に記載の百羽鶴収納体。
【請求項３】
前記第１収納体の上面部における折鶴収納部の上段左端部から最下段の右端部まで１羽〜２０羽の番号が各折鶴収納部の近傍に表示され、
前記第２収納体の上面部における折鶴収納部の上段左端部から最下段の右端部まで２１羽〜４０羽の番号が各折鶴収納部の近傍に表示され、
前記第３収納体の上面部における折鶴収納部の上段左端部から最下段の右端部まで４１羽〜６０羽の番号が各折鶴収納部の近傍に表示され、
前記第４収納体の上面部における折鶴収納部の上段左端部から最下段の右端部まで６１羽〜８０羽の番号が各折鶴収納部の近傍に表示され、
前記第５収納体の上面部における折鶴収納部の上段左端部から最下段の右端部まで８１羽〜１００羽の番号が各折鶴収納部の近傍に表示され、
各収納体の裏面部には上面部の番号に対応する番号が表示されている、
ことを特徴とする請求項１〜請求項２の何れかに記載の百羽鶴収納体。
【請求項４】
前記第１収納体〜第５収納体及び蓋体がポリスチレン系樹脂、ポリプロピレン系樹脂又はポリエチレン樹脂からなる透明な樹脂シートを素材とし、押出成型又は射出成型によって製作されている、
ことを特徴とする請求項１〜請求項３の何れかに記載の百羽鶴収納体。
【請求項５】
前記第１収納体〜第５収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としている、
ことを特徴とする請求項１〜請求項４の何れかに記載の百羽鶴収納体。
【請求項６】
前記第１収納体〜第５収納体と蓋体の固定手段は、当該各収納体と蓋体の接合面に複数配設された凸部と凹部からなる、
ことを特徴とする請求項１に記載の百羽鶴収納体。
【請求項７】
前記第１収納体〜第５収納体の一側にヒンジ部を介して綴じ代を延設すると共に、当該綴じ代の所定位置には複数のビス穴又は綴じ穴を穿設している、
ことを特徴とする請求項１〜請求項６の何れかに記載の百羽鶴収納体。
【請求項８】
前記第１収納体〜第５収納体と蓋体は、Ａ４版又はＢ５版である、
ことを特徴とする請求項１〜請求項７の何れかに記載の千羽鶴収納体。
【請求項９】
慶祝、お見舞、激励等を目的として制作、贈呈される百羽鶴と写真等の一体型アルバムであって、背表紙、オモテ表紙及びウラ表紙からなる表紙体と、見開き、メッセージシート、写真貼付シート、百羽鶴収納体及び固定具又は綴じ具とから構成されている、
ことを特徴とする請求項１〜請求項８の何れかに記載の百羽鶴と写真等の一体型アルバム。
【請求項１０】
前記表紙体における背表紙には百羽鶴の文字を表記すると共に、当該背表紙、前記オモテ表紙及びウラ表紙には１〜複数の鶴又は折鶴の図形が表示されるかあるいは刺繍されている、
ことを特徴とする請求項９に記載の百羽鶴と写真等の一体型アルバム。
【発明の詳細な説明】
【技術分野】
【０００１】  本発明は、百羽鶴収納体及び百羽鶴と写真等の一体型アルバムに関し、より詳しくは、長寿、病気快癒等の慶び、願い又は励まし等を込めて制作して贈られ、百羽鶴を贈られた人が、百羽鶴収納体に美麗に収納された折鶴を随時見ることができると共にかつ、百羽鶴収納体の前頁又は後頁には百羽鶴贈呈者及び／又は被贈呈者の写真等を貼着することにより、当該被贈呈者は、慶びや病気快癒等の意欲を改めていや増すことができる。さらに全体重量を軽量とし、かつ長期間に亘り百羽鶴を美麗に保管することが可能な百羽鶴収納体及び百羽鶴と写真等の一体型アルバムに関する。
【背景技術】
【０００２】  中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。【０００３】  従来、折鶴は、折り紙を鶴に似せて所定の手順で制作されるものであり、折鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。そのほかに千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」又は「勇気」、「闘志」等が得られる。【０００４】  本願出願人による調査によれば、例えば、特許文献１の「折鶴作成方法」（第１頁、参照）、特許文献２の「三角形の紙で作る折鶴」（第１頁、参照）等の折鶴に関する先行技術文献が発見されたが、千羽鶴の制作及び折鶴を収納するアルバム帳ないし千羽鶴と写真等の一体型アルバム帳あるいは折鶴を収納する折鶴等収納台紙等に関連する先行技術文献は、検索されなかった。【０００５】  上述のように、従来の千羽鶴の制作は、１〜複数の人が折り紙を所定の手順で制作した折鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。【０００６】  しかしながら、上記、従来の千羽鶴の制作、折鶴の収納及び贈呈後の管理等には、以下のような欠点や問題点等がある。即ち、
（１）折り終った折鶴の数量が不明になり、たびたび数え直す必要があり、制作完了日を予測することが困難である。
（２）折鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に埃が付着しやすいので、長期の保存には適さない。また例えば、病気や怪我等が快癒した後の処理、収納等に困惑している。
（６）例えば、入院患者への千羽鶴について、折鶴の首、尾羽及び両翼は折らない方がよいとされている。
等々が指摘されている。
そこで、本願発明者は、上記従来技術が有する各種問題点に鑑み、これらの問題点を解決するために鋭意検討を重ね、特許文献３を取得したものである。特許文献３の「千羽鶴収納ファイル及び折鶴用台紙」は、千羽鶴の被贈呈者が、折鶴用台紙内に美麗に配設された折鶴及び当該折鶴制作者の名前やメッセージ等を随時見ることができると共に、これにより被贈呈者は、「慶び」、「望み」、「勇気」又は「闘志」等が繰り返し得られる千羽鶴収納ファイルの提供という主な課題を解決することができた。
【先行技術文献】
【特許文献】
【０００７】
【特許文献１】特開２００４−２２９７３９号公報
【特許文献２】特開平９−２８５６５０号公報
【特許文献３】実用新案登録第３１５５７５４号公報
【発明の概要】
【発明が解決しようとする課題】
【０００８】  しかしながら、現代社会における多忙な日常生活にあって、所定期間内に千羽の折鶴を制作することは極めて困難であり、特に高齢者には肉体的また精神的に大きな負担となる。また千羽の折鶴を収納した収納台紙の枚数が多数枚（例えば、Ａ４版台紙に３６個の折鶴を収納して２８枚）となり、アルバム帳全体の厚さが嵩高（約１１Ｃｍ以上）となり、その重量も重くなり、収納・保管上の問題や不具合がある。そこで、本願発明者は、千羽鶴贈呈の本来の目的が被贈呈者に対するお祝、病気等の快癒、激励等であることを考えるに、例えば、被贈呈者が米寿を迎えるとすれば、そのお祝いとして、百羽の折鶴あるいは８８羽の折鶴を贈呈することで贈呈者の心は十分に被贈呈者に伝わることに着目して本願発明を完成させた。
そこで本願発明の課題は、以下の通りである。すなわち、
（１）第１の課題は、慶祝、お見舞、激励等の目的で制作される折鶴を簡便かつ美麗に収納する折鶴収納体を提供すると共に、制作工程がシンプルで大量生産が可能であり、よって生産コストを安価にし、収納体全体が軽量な折鶴収納体の提供である。
（２）第２の課題は、１種類の収納体を複数組み合わせることにより、百羽鶴又は折鶴制作者が所望する数量の折鶴を収納できる折鶴収納体の提供である。
（３）第３の課題は、百羽鶴又は所定数の折鶴等の被贈呈者が、贈呈者の趣旨、例えば「慶祝、寿、祝、希望、祈、必勝、勇気、闘志、合格、愛、ＨＡＰＰＹ」等をより強く感じることができる、百羽鶴又は所定数の折鶴と写真、メッセージ等が組み込まれた一体型アルバムを提供することにある。
（４）第４の課題は、折鶴制作が１人〜少数人での短期間制作が可能であり、折鶴とアルバム制作者が精神的かつ肉体的な負担を感じることなく、軽量で嵩高くならない百羽鶴又は所定数の折鶴と写真等の一体型アルバムを提供することにある。
【課題を解決するための手段】
【０００９】  課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書及び要約書等に記載の用語についての解釈上の疑義を解消すべく、以下に本発明の特許請求の範囲、明細書等に記載する用語の説明を行うこととする。
〈用語の説明〉
「百羽鶴」とは、千羽鶴と同様に慶祝、お見舞又は激励等の目的で制作される百羽の折鶴をいう。
「所定数」とは、主に長寿等の慶祝に因んだ数字、例えば、還暦（６０歳）、古希（７０歳）、喜寿（７７歳）、傘寿（８０歳）、米寿（８８歳）、卆寿（９０歳）、白寿（９９歳）、百歳万歳（１００歳）や、成人式（２０歳）その他個人の誕生年齢等の数字をいう。被贈呈者の慶祝に因んだ数の折鶴を１〜数名の贈呈者が制作してプレゼントする。
「百羽鶴収納体」とは、１シート内に２０羽の折鶴を収納可能な第１収納体、第２収納体、第３収納体、第４収納体及び第５収納体と、各収納体の上面部に固定される蓋体とからなり、各収納体の下面部には、折鶴を収納するための２０個の浅底の折鶴収納部が凹設されている。各収納体の上面部は開口されている。百羽鶴は、第１収納体〜第５収納体の５枚で制作することができる。また例えば、米寿（８８歳）用の折鶴８８羽は、第１収納体〜第４収納体（１羽〜８０羽）に第５収納体の８１羽〜８８羽の折鶴を収納して制作することができる。８９羽〜１００羽には、例えば、花柄、ハートマーク等のプリントシールを貼付するか、または空欄とすることができる。収納体の大きさは、Ｂ５判又はＡ４判の大きさで、第１収納体〜第５収納体の折鶴収納部の近傍には１羽〜１００羽の番号が順列して表裏面に表示されている。
「折鶴収納部」とは、制作された折鶴を一羽毎収納するために形成された浅底の凹設部をいう。上面部を開口した同寸、同形の横４個、縦５個の計２０個が順序良く整然と形成されている。その形状は、平面視、上方は３の山部と２の谷部とした王冠状に形成され、下方は緩やかな山部が形成されると共に、当該折鶴収納部の大きさは、折鶴の大きさと同大又はやや大とされ、折鶴収納部の厚さ寸法は、折鶴の厚みとほぼ同寸かやや大としている。折鶴は、その首部、尾羽及び両翼は、下向きに折曲しない平坦状に折り畳まれた態様で収納される。
「百羽鶴と写真等の一体型アルバム」とは、慶祝、お見舞、激励等を目的として制作、贈呈される百羽鶴収納体に収納された百羽鶴と百羽鶴の被贈呈者及び折鶴制作者等関係者の写真を貼付する写真貼付シート、メッセージシート等を固定又は綴じ込んでなるアルバムをいう。
「写真貼付シート」とは、百羽鶴等の被贈呈者及び当該折鶴制作者等関係者の写真を貼付する紙製又は樹脂製シートをいう。
「表面」とは、オモテ表紙側の面をいう。
「裏面」とは、ウラ表紙側の面をいう。
「表紙体」とは、背表紙、オモテ表紙及びウラ表紙全体の総称である。
「固定具」とは、見開き、メッセージシート、百羽鶴収納体及び写真貼付シート等を表紙体に固定するためのボルト、ナットをいう。金属又は硬質樹脂材等からなる。
「綴じ具」とは、見開き、メッセージシート、百羽鶴収納体及び写真貼付シート等を綴じ込むための器具をいう。金属又は硬質樹脂材からなり、背表紙の内面に装着される。
「被贈呈者」とは、百羽鶴と写真等の一体型アルバムを贈られる人をいう。例えば、喜寿、傘寿、米寿又は白寿等を迎える長寿者、病気や怪我等による入院患者又は高校野球、サッカー等のスポーツ大会に出場するチーム等である。
「贈呈者」とは、折鶴を制作し、百羽鶴と写真等の一体型アルバムを贈る１〜複数の人をいう。例えば、長寿を迎える人、入院患者又は大会出場チーム等の親族、友人、知己又は関係者等である。
＊＊＊＊＊＊＊＊＊＊＊＊＊＊＊＊＊＊＊＊＊＊＊＊＊＊＊＊＊＊＊＊＊＊＊＊＊＊＊【００１０】  上記の課題を解決するための第１の発明は、請求項１に記載の発明であり、
慶祝、お見舞、激励等を目的として制作される首部、尾羽及び両翼を折り曲げない形状に折り畳まれた複数の折鶴を収納するための百羽鶴収納体であって、前記百羽鶴収納体は、１シート内に２０羽の折鶴を収納可能な第１収納体、第２収納体、第３収納体、第４収納体及び第５収納体と、前記各収納体の上面部に固定される蓋体と、からなり、前記各収納体の下面部には、前記折鶴を収納するための２０個の浅底の折鶴収納部が凹設されている、ことを特徴としている。【００１１】  上記の課題を解決するための第２の発明は、請求項２に記載の発明であり、
前記各収納体の折鶴収納部は、上面部を開口した同寸、同形の横４個、縦５個の計２０個が順序良く整然と形成されている、ことを特徴としている。【００１２】  上記の課題を解決するための第３の発明は、請求項３に記載の発明であり、
前記第１収納体の上面部における折鶴収納部の上段左端部から最下段の右端部まで１羽〜２０羽の番号が各折鶴収納部の近傍に表示され、前記第２収納体の上面部における折鶴収納部の上段左端部から最下段の右端部まで２１羽〜４０羽の番号が各折鶴収納部の近傍に表示され、前記第３収納体の上面部における折鶴収納部の上段左端部から最下段の右端部まで４１羽〜６０羽の番号が各折鶴収納部の近傍に表示され、前記第４収納体の上面部における折鶴収納部の上段左端部から最下段の右端部まで６１羽〜８０羽の番号が各折鶴収納部の近傍に表示され、前記第５収納体の上面部における折鶴収納部の上段左端部から最下段の右端部まで８１羽〜１００羽の番号が各折鶴収納部の近傍に表示され、各収納体の裏面部には上面部の番号に対応する番号が表示されている、ことを特徴としている。【００１３】  上記の課題を解決するための第４の発明は、請求項４に記載の発明であり、
前記第１収納体〜第５収納体及び蓋体がポリスチレン系樹脂、ポリプロピレン系樹脂又はポリエチレン樹脂からなる透明な樹脂シートを素材とし、押出成型又は射出成型によって製作されている、ことを特徴としている。【００１４】  上記の課題を解決するための第５の発明は、請求項５に記載の発明であり、
前記第１収納体〜第５収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としている、ことを特徴としている。【００１５】  上記の課題を解決するための第６の発明は、請求項６に記載の発明であり、
前記第１収納体〜第５収納体と蓋体の固定手段は、当該各収納体と蓋体の接合面に複数配設された凸部と凹部からなる、ことを特徴としている。【００１６】  上記の課題を解決するための第７の発明は、請求項７に記載の発明であり、
前記第１収納体〜第５収納体の一側にヒンジ部を介して綴じ代を延設すると共に、当該綴じ代の所定位置には複数のビス穴又は綴じ穴を穿設している、ことを特徴としている。【００１７】  上記の課題を解決するための第８の発明は、請求項８に記載の発明であり、
前記第１収納体〜第５収納体と蓋体は、Ａ４版又はＢ５版である、ことを特徴としている。【００１８】  上記の課題を解決するための第９の発明は、請求項９に記載の発明であり、慶祝、お見舞、激励等を目的として制作、贈呈される百羽鶴と写真等の一体型アルバムであって、背表紙、オモテ表紙及びウラ表紙からなる表紙体と、見開き、メッセージシート、写真貼付シート、百羽鶴収納体及び固定具又は綴じ具とから構成されている、ことを特徴としている。【００１９】  上記の課題を解決するための第１０の発明は、請求項１０に記載の発明であり、前記表紙体における背表紙には百羽鶴の文字を表記すると共に、当該背表紙、前記オモテ表紙及びウラ表紙には１〜複数の鶴又は折鶴の図形が表示されるかあるいは刺繍されている、ことを特徴としている。
【発明の効果】
【００２０】  本発明に係る、百羽鶴収納体及び百羽鶴と写真等の一体型アルバムは、上記のような特徴的構成要件から構成され、特徴的構成要件に応じた、以下のような本願発明特有の効果を奏する。また、上記のような特徴的構成要件から構成された百羽鶴収納体及び百羽鶴と写真等の一体型アルバムによれば、本願発明の課題を十分解消することができた。すなわち、第１の発明によれば、「慶祝、お見舞、激励等を目的として制作きれる首部、尾羽及び両翼を折り曲げない形状に折り畳まれた複数の折鶴を収納するための百羽鶴収納体であって、前記百羽鶴収納体は、１シート内に２０羽の折鶴を収納可能な第１収納体、第２収納体、第３収納体、第４収納体及び第５収納体と、前記各収納体の上面部に固定される蓋体と、からなり、前記各収納体の下面部には、前記折鶴を収納するための２０個の浅底の折鶴収納部が凹設されている」という、当業界では想定困難な極めて特徴的構成要件により、また第２の発明によれば、「前記各収納体の折鶴収納部は、上面部を開口した同寸、同形の横４個、縦５個の計２０個が順序良く整然と形成されている」という、特徴的構成要件により、また第３の発明によれば、「前記第１収納体の上面部における折鶴収納部の上段左端部から最下段の右端部まで１羽〜２０羽の番号が各折鶴収納部の近傍に表示され、前記第２収納体の上面部における折鶴収納部の上段左端部から最下段の右端部まで２１羽〜４０羽の番号が各折鶴収納部の近傍に表示され、前記第３収納体の上面部における折鶴収納部の上段左端部から最下段の右端部まで４１羽〜６０羽の番号が各折鶴収納部の近傍に表示され、前記第４収納体の上面部における折鶴収納部の上段左端部から最下段の右端部まで６１羽〜８０羽の番号が各折鶴収納部の近傍に表示され、前記第５収納体の上面部における折鶴収納部の上段左端部から最下段の右端部まで８１羽〜１００羽の番号が各折鶴収納部の近傍に表示され、各収納体の裏面部には上面部の番号に対応する番号が表示されている」という、特徴的構成要件により、また第４の発明によれば、「前記第１収納体〜第５収納体及び蓋体がポリスチレン系樹脂、ポリプロピレン糸樹脂又はポリエチレン樹脂からなる透明な樹脂シートを素材とし、押出成型又は射出成型によって製作されている」という、特徴的構成要件により、また第５の発明によれば、「前記第１収納体〜第５収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としている」という、特徴的構成要件により、また第６の発明によれば、「前記第１収納体〜第５収納体と蓋体の固定手段は、当該各収納体と蓋体の接合面に複数配設された凸部と凹部からなる」という、特徴的構成要件により、また第７の発明によれば、「前記第１収納体〜第５収納体の一側にヒンジ部を介して綴じ代を延設すると共に、当該綴じ代の所定位置には複数のビス穴又は綴じ穴を穿設している」という、特徴的構成要件により、
慶祝、お見舞、激励等の目的で制作される折鶴を簡便かつ美麗に収納する折鶴収納体を提供すると共に、制作工程がシンプルで大量生産が可能であり、よって生産コストを安価にし、収納体全体が軽量な折鶴収納体の提供という第１の課題と、１種類の収納体を複数組み合わせることにより、百羽鶴又は折鶴制作者が所望する数量の折鶴を収納できる折鶴収納体の提供という第２の課題を解決することができた。【００２１】  第８の発明によれば、「慶祝、お見舞、激励等を目的として制作、贈呈される千羽鶴と写真等の一体型アルバムであって、背表紙、オモテ表紙及びウラ表紙からなる表紙体と、見開き、メッセージシート、写真貼付シート、千羽鶴収納体及び固定具又は綴じ具とから構成されている」という、特徴的構成要件により、また第９の発明によれば、「前記表紙体における背表紙には千羽鶴の文字を表記すると共に、当該背表紙、前記オモテ表紙及びウラ表紙には１〜複数の鶴又は折鶴の図形が表示されるかあるいは刺繍されている」という、特徴的構成要件により、
百羽鶴又は所定数の折鶴等の被贈呈者が、贈呈者の趣旨、例えば「慶祝、寿、祝、希望、祈、必勝、勇気、闘志、合格、愛、ＨＡＰＰＹ」等をより強く感じることができる、百羽鶴又は所定数の折鶴と写真等の一体型アルバムの提供という第３の課題を解決することができた。【００２２】  また第１０の発明によれば、「前記表紙体における背表紙には百羽鶴の文字を表記すると共に、当該背表紙、前記オモテ表紙及びウラ表紙には１〜複数の鶴又は折鶴の図形が表示されるかあるいは刺繍されている」という、特徴的構成要件により、
折鶴制作が１人〜少数人での短期間制作が可能であり、折鶴とアルバム制作者が精神的かつ肉体的な負担を感じることなく、軽量で嵩高くならない百羽鶴又は所定数の折鶴と写真等の一体型アルバムの提供という第４の課題を解決することができた。
【図面の簡単な説明】
【００２３】
【図１】は、本発明に係る、２０羽の折鶴を収納する折鶴収納部を形成したＡ４判百羽鶴収納体における第１収納体の平面図である。
【図２】は、蓋体の底面図である。
【図３】は、第１収納体〜第５収納体の折鶴収納部に収納される折鶴の平面図である。
【図４】は、図１の第１収納体における折鶴収納部に折鶴を収納した状態の４−４線拡大断面図である。
【図５】は、図１の第１収納体における蓋体を係止した状態を示す５−５線拡大断面図である。
【図６】（ａ）は、本発明に係る、百羽鶴収納体を用いた百羽鶴と写真等の一体型アルバムの全体を示す斜視図、（ｂ）は、図６（ａ）における一部省略斜視図である。
【図７】は、百羽鶴と写真等の一体型アルバムの背表紙、オモテ表紙及びウラ表紙の展開図である。
【図８】は、同見開きの平面図である。
【図９】は、同見開きの使用態様を示す斜視図である。
【図１０】は、同メッセージシートの平面図である。
【図１１】は、同写真貼付シートの平面図である。
【図１２】は、同見開き及び／又はメッセージシートに貼付されるシールの一例を示す平面図である。
【発明を実施するための形態】
【００２４】  以下、本発明に係る、百羽鶴収納体及び百羽鶴と写真等の一体型アルバムの一実施形態について、図面を参照して詳細に説明する。図１〜図５は、百羽鶴収納体の構造について図示している。百羽鶴収納体ＣＳは、首部Ｃａ、尾羽Ｃｂ及び両翼Ｃｃを下向きに折り曲げない形状に折り畳まれた複数の折鶴Ｃ（図３、参照）を収納するため薄皿状容器の集合体であって、１羽目〜２０羽目の折鶴Ｃを収納する第１収納体１０（図１、参照）と、２１羽目〜４０羽目の折鶴Ｃを収納する第２収納体２０、４１羽目〜６０羽目の折鶴Ｃを収納する第３収納体３０、６１羽目〜８０羽目の折鶴Ｃを収納する第４収納体４０、８１羽目〜１００羽目の折鶴Ｃを収納する第５収納体５０と各収納体の上面部１０ａに固定される蓋体１１とからなっている。前記各収納体１０〜５０の下面部には、折鶴Ｃを収納するための２０個の浅底の折鶴収納部１０ｂが凹設されている。第２収納体２０〜第５収納体５０における形状、構造は、第１収納体１０と同一であるから、第２収納体２０〜第５収納体５０についての形状、構造についての説明及び図示は省略する。また第２収納体２０〜第５収納体５０の蓋体は、第１収納体１０の上面部１０ａに固定される蓋体１１の形状、構造も第１収納体１０の上面部１０ａに固定される蓋体１１と同一であるから、第２収納体２０〜第５収納体５０の蓋体についての形状、構造についての説明及び図示は省略する。第１収納体１０の一側にはヒンジ部１０ｈを介して綴じ代１０ｊを延設すると共に、当該綴じ代１０ｊの所定位置には複数のビス穴又は綴じ穴１０ｋが穿設されている。なお第１収納体１０〜第５収納体と蓋体１１は、Ａ４版又はＢ５版の大きさとすることができる。
【００２５】  図１に示す第１収納体１０及び図２に示す蓋体１１は、ポリスチレン系樹脂、ポリプロピレン系樹脂又はポリエチレン樹脂からなる透明な樹脂シートを素材とし、押出成型又は射出成型によって製作されるもので、大量生産が可能である。図示するように、第１収納体１０の折鶴収納部１０ｂは、上面部１０ａを開口した同寸、同形の横４個、縦５個の計２０個が、上段左端部から最下段の右端部まで１羽〜２０羽の番号Ｎが各折鶴収納部１０ｂの近傍に表示され、順序良く幾何図形のように整然と形成されている。第１収納体１０の裏面部１０ｃには上面部１０ａに表示された番号Ｎに対応する番号Ｎが表示されている。第１収納体〜第５収納体における折鶴収納部１０ｂの外郭形状は、上部を平面視鋭角状とした３の山部Ｍ１と２の谷部Ｖとし、下部を緩やかな角度の山形Ｍ２として全体を王冠状に形成すると共に、その大きさは、首部Ｃａ、尾羽Ｃｂ及び両翼Ｃｃを下向きに折り曲げない形状に折り畳まれた折鶴Ｃの外形とほぼ同大又はやや大としている。
【００２６】  図２は、第１収納体〜第５収納体の上面部１０ａを閉塞する蓋体１１の底面図を示している。ＳＴは、蓋体１１の所定位置に設けられた凸部であり、図１に示す第１収納体の上面部１０ａの所定位置に設けられた凹部ＳＯと対応するもので、折鶴Ｃが、折鶴収納部１０ｂに所要数収納された後、第１収納体と蓋体１１は、凸部ＳＴを凹部ＳＯに押圧して係止される。
【００２７】  図３は、第１収納体等の折鶴収納部１０ｂに収納される折鶴Ｃの平面図で、首部Ｃａ、尾羽Ｃｂ及び両翼Ｃｃを下向きに折り曲げない形状に折り畳まれている。その形状と大きさは、第１収納体等の折鶴収納部１０ｂの形状と大きさとほぼ同じかやや大としている。折鶴Ｃの厚さは、約０．５〜１ｍｍである。図４は、図１における４−４線の拡大断面図で、折鶴収納部１０ｂに折鶴Ｃを収納し、蓋体１１を固定した状態で、図示するように折鶴Ｃは、折鶴収納部１０ｂの浅底収納部底面と周壁内にほぼ隙間なく収納され、折鶴収納部１０ｂの上面開口部は、蓋体１１によって閉塞され、図５に示すように、凸部ＳＴと凹部ＳＯによって係止された状態となり、折鶴Ｃが折鶴収納部１０ｂから脱落、紛失することを防止できる。また折鶴収納部１０ｂ内に塵埃等が侵入することがなく、各折鶴Ｃは長期に亘って美麗に保管することができる。図４におけるｈは、折鶴Ｃが折鶴収納部１０ｂに収納された状態における、第１収納体１０と蓋体１１の厚さ寸法を示し、約１ｍｍ〜１．５ｍｍとなっている。
【００２８】  図６（ａ）は、本発明に係る、百羽鶴収納体ＣＳを用いた百羽鶴と写真等の一体型アルバムの全体を示す斜視図であり、百羽鶴と写真等の一体型アルバム（以下、アルバムＡという）は、表紙体１を構成する背表紙１ａ、オモテ表紙１ｂ及びウラ表紙１ｃと、見開き２、メッセージシート３、写真貼付シート４、百羽鶴収納体ＣＳ及び固定具又は綴じ具５とから構成されている（図６（ｂ）、参照）。６は百羽鶴の文字で百羽の折鶴と写真等の一体型アルバムＡであることを示している。１ｄは折曲線である。図６（ｂ）は、当該アルバムＡの一構成を示している。見開き２、メッセージシート３、百羽鶴収納体ＣＳ、写真貼付シート４等の配設位置ないし順序は、本実施形態にこだわるものではない。
【００２９】  図７は、アルバムＡの背表紙、オモテ表紙１ｂ及びウラ表紙１ｃに貼付される多数の折鶴の図形７入りのカバーで、紙、布地又は合成樹脂材等からなっている。多数の折鶴の図形７は、例えば赤色折鶴と白色折鶴と交互に配列することができる。もしくは赤色に替えて金色折鶴とし、白色に替えて銀色折鶴とすることもできる。赤色、白色、金色及び銀色の折鶴図形７は、慶祝の趣をより強くすることができる。
【００３０】  図８及び図９は、見開き２とその使用態様を示し、見開き２の上段には、被贈呈者の氏名又はチーム名等の記入欄２ａが設けられている。記入欄２ａの下には、例えば、百羽鶴贈呈の趣旨を表す「祝米寿」等のシール８（図１２参照）を貼付する趣旨表示欄２ｂが設けられ、見開き２のほぼ中央には折鶴の大きな図形７が表示されている。また下段には百羽鶴贈呈者からのメッセージ欄２ｃが設けられている。固定具５は、見開き２、メッセージシート３、写真貼付シート４及び第１収納体１０〜第５収納体５０と蓋体１１からなる百羽鶴収納体ＣＳ等を表紙体１に固定するためのものであり、各種の固定具５が選択されるが、例えばボルト、ナットによるビス止め方式が好ましい。５ａはビス穴である。
【００３１】  図１０は、メッセージシート３を示し、その四周縁には多数の折鶴の図形７を表示している。メッセージシート３の上段にはメッセージ３ａが記載され、中央には折鶴制作者から被贈呈者へのイラスト、寄せ書きやメッセージが記入される。図１１は、写真貼付シート４を示している。Ｐｈ１は、例えば米寿を迎える被贈呈者の写真で、Ｐｈ２は、被贈呈者の親族又は町内会等の友人、知己達の写真である。図１２は、アルバムＡにおける見開き２又はメッセージシート３に貼付されるシール８の一例を示し、折鶴制作者は、百羽鶴等を贈呈する趣旨に適するシール８を選び、台紙ＢＳから剥離して、見開き２又はメッセージシート３に貼付して使用される。
【００３２】  以上は、主として本発明に係る、百羽鶴収納体ＣＳ及び百羽鶴と写真等の一体型アルバムＡについて、上述したようにＡ４判を中心に説明したが、Ｂ５版にも適用することができるものである。
【符号の説明】
【００３３】Ｃ                        折鶴
ＣＳ                      百羽鶴収納体
１０                      第１収納体
２０                      第２収納体
３０                      第３収納体
４０                      第４収納体
５０                      第５収納体
１１                      蓋体
１０ａ                    上面部
１０ｂ                    折鶴収納部
１０ｃ                    裏面部
Ｎ                        通し番号
Ｍ１                      山部
Ｖ                        谷部
Ｍ２                      緩やかな角度の山形
ＳＯ                      凹部
１０ｈ                    ヒンジ部
１０ｊ                    綴じ代
１０ｋ                    ビス穴又は綴じ穴
Ａ                        アルバム
１                        表紙体
１ａ                      背表紙
１ｂ                      オモテ表紙
１ｃ                      ウラ表紙
２                        見開き
２ａ                      記入欄
２ｂ                      趣旨表示欄
２ｃ                      メッセージ欄
３                        メッセージシート
３ａ                      メッセージ
４                        写真貼付シート
５                        固定具又は綴じ具
６                        文字
７                        図形
８                        シール
【図１】
2012056300.tif 000003
【図２】
2012056300.tif 000004
【図３】
2012056300.tif 000005
【図４】
2012056300.tif 000006
【図５】
2012056300.tif 000007
【図６】
2012056300.tif 000008
【図７】
2012056300.tif 000009
【図８】
2012056300.tif 000010
【図９】
2012056300.tif 000011
【図１０】
2012056300.tif 000012
【図１１】
2012056300.tif 000013
【図１２】
2012056300.tif 000014